(57)【要約】 【課題】  地上ディジタルテレビ放送を利用して伝送されてくるＭＰＥＧ−２で符号化されたビデオデータストリームを、ＭＰＥＧ−２の完全復号を使用することなく、安価で低電力に復号することができる携帯通信端末装置を提供する【解決手段】  ＭＰＥＧ−２トランスポートストリームから分離されたビデオストリームからＩピクチャ、Ｐピクチャ、Ｂピクチャに関する符号をピクチャコーディングタイプ符号により予め分離し、ＰピクチャとＢピクチャ情報、あるいは、Ｂピクチャ情報をビデオストリーム破棄部（６）で破棄し、次に、表示部（３２）の表示解像度に応じて、Ｉピクチャ、Ｐピクチャの情報から高周波側の離散コサイン変換係数を破棄し、また、Ｐピクチャの場合には、ビデオストリーム中の動きベクトルを前記表示解像度に応じて補間処理を行い、モバイル機器での表示に必要な情報のみを復号する。【選択図】        図１
2005123990.tif 000002
【特許請求の範囲】
【請求項１】
地上波ディジタルテレビ放送による放送信号を受信することが可能であって、データ処理部と表示部を有する携帯通信端末装置であって、
前記データ処理部は、受信した前記放送信号からＭＰＥＧ−２の第１のビデオデータストリームを取り出し、
取り出した第１のビデオデータストリームに含まれるフレーム内符号化情報、順方向フレーム間予測符号化情報、及び双方向フレーム間予測符号化情報の内、少なくとも双方向フレーム間予測符号化情報を破棄しフレーム内符号化情報を残し、残った符号化情報に関する第２のビデオデータストリームを生成し、
前記第２のビデオデータストリームの符号化情報のうち、前記表示部の表示解像度に応じた一部の情報のみを復号することを特徴とする携帯通信端末装置。
【請求項２】
地上波ディジタルテレビ放送による放送信号を受信することが可能であって、データ処理部と表示部を有する携帯通信端末装置であって、
前記データ処理部は、受信した前記放送信号からＭＰＥＧ−２の第１のビデオデータストリームを取り出し、
取り出した第１のビデオデータストリームに含まれるフレーム内符号化情報、順方向フレーム間予測符号化情報、及び双方向フレーム間予測符号化情報の内、少なくとも双方向フレーム間予測符号化情報を破棄しフレーム内符号化情報を残し、残った符号化情報に関する第２のビデオデータストリームを生成し、
前記第２のビデオデータストリームの符号化情報のうち、前記表示部の表示解像度に応じた一部の情報をＭＰＥＧ−４に準拠する第３のビデオデータストリームに変換し、
変換された第３のビデオデータストリームを復号することを特徴とする携帯通信端末装置。
【請求項３】
前記データ処理部は、前記第２のビデオデータストリームに含まれるフレーム内符号化情報に対して、ブロック単位のＤＣ成分のみを、又はブロック単位のＤＣ成分と一部のＡＣ成分を、前記一部の情報とすることを特徴とする請求項１又は２記載の携帯通信端末装置。
【請求項４】
前記データ処理部は、前記第２のビデオデータストリームに含まれる順方向フレーム間予測符号化情報の動きベクトルの大きさを前記表示解像度に対応させて変更することを特徴とする請求項３記載の携帯通信端末装置。
【請求項５】
前記第２のビデオデータストリームに含まれる符号化情報は、インタレース走査における奇数フレーム又は偶数フレームの何れか一方に対応する情報であることを特徴とする請求項１乃至４の何れか１項記載の携帯通信端末装置。
【請求項６】
前記受信放送信号はＭＰＥＧ−２のトランスポートストリームを構成することを特徴とする請求項１又は２記載の携帯通信端末装置。
【請求項７】
前記データ処理部は、前記トランスポートストリームを第１のビデオデータストリームと音声データストリームに分割することを特徴とする請求項６記載の携帯通信端末装置。
【請求項８】
前記データ処理部は前記第２のビデオデータストリームと前記音声データストリームとを多重化し、多重化された情報をトランスポートストリームとして格納可能なメモリを有することを特徴とする請求項７の復号装置。
【請求項９】
移動体通信を行なうための高周波部とベースバンド部を有することを特徴とする請求項１乃至８の何れか１項記載の携帯通信端末装置。
【請求項１０】
地上波ディジタルテレビ放送による放送信号を受信することが可能であって、データ処理部と表示部を有する携帯通信端末装置であって、
前記データ処理部は、受信した前記放送信号から第１のビデオデータストリームを取り出し、
取り出した第１のビデオデータストリームに含まれるフレーム内符号化情報、順方向フレーム間予測符号化情報、及び双方向フレーム間予測符号化情報の内、少なくとも双方向フレーム間予測符号化情報を破棄しフレーム内符号化情報を残し、残った符号化情報に関する第２のビデオデータストリームを生成し、
前記第２のビデオデータストリームの符号化情報のうち、前記表示部の表示解像度に応じた一部の情報を画像表示の対象とすることを特徴とする携帯通信端末装置。
【発明の詳細な説明】
【技術分野】
【０００１】
本発明は、地上波ディジタルテレビ放送用の放送信号に含まれるビデオデータを復号する技術に関する。
【背景技術】
【０００２】
テレビ画像の符号化方式として、ＭＰＥＧ（Moving Picture Experts Group）−２が標準化されている。ＭＰＥＧ−２は、フレーム内符号化したＩピクチャ（フレーム内符号化情報）を基準として、前方予測を用いフレーム間符号化したＰピクチャ（順方向フレーム間予測符号化情報）及び両方向予測を用いフレーム間符号化したＢピクチャ（双方向フレーム間予測符号化情報）により、テレビ画像を圧縮して伝送することが、ＩＳＯ−１３８１８として標準化されている。
【０００３】
テレビ画像は、毎秒３０フレーム／秒あるいは、毎秒６０フィールド／秒で符号化され伝送されるため、受信機に搭載された復号器は、その速度で画像を作成して表示しなければならず、高い処理能力を有する必要がある。この点に関し、比較的低い処理能力で対応可能にする技術として、特許文献１及び特許文献２には、伝送されてくる符号化フレームからＢピクチャあるいはＰピクチャとＢピクチャを間引き復号処理の処理負荷を低減する手法が記載される。また、特許文献３には復号されたデータの間引きを行なって表示サイズを小さくした他チャンネルの子画面を別チャンネルの主画面に並行表示する技術が記載される。更に、特許文献４には、水平・垂直方向が圧縮される画像データに対して動きベクトルのスカラ量を変換することについて記載がある。
【０００４】
【特許文献１】特開２０００−２９９８６７
【０００５】
【特許文献２】特開２００２−２１８４７２
【特許文献３】特開２０００−３２４７５
【特許文献４】特開平１１−２６２０１１
【発明の開示】
【発明が解決しようとする課題】
【０００６】
近年の携帯電話に代表されるモバイル機器でのサービス形態は、目まぐるしい進歩がある。また、地上ディジタルテレビ放送も試験放送が開始され、いよいよ現実的なものとなって来た。本発明者はモバイル機器上で地上波ディジタルテレビ放送を受信することについて検討した。それによれば、モバイル機器の性質上、テレビセットの表示画面に比べて表示画面が格段に小さく、また、バッテリ駆動の性質上電力消費を少なくするという制約を受ける。従来技術は、モバイル機器で地上波ディジタルテレビ放送を受信するという点について着眼されていないので、そのような制約について全く考慮されていない。モバイル機器での表示解像度等を考慮すると、時間解像度に加えて、空間解像度（表示解像度）も考慮する必要のあることが本発明者によって見出された。
【０００７】
本発明の目的は、地上波ディジタルテレビ放送による放送信号に対し時間解像度と空間解像度の双方を低減して画像表示を行なうことができる携帯通信端末装置を提供することにある。
【０００８】
本発明の別の目的は、地上波ディジタルテレビ放送を利用して伝送されてくるＭＰＥＧ−２で符号化されたビデオデータストリームを全て完全に復号することなく、安価で低電力に復号することができる携帯通信端末装置を提供することにある。
【０００９】
本発明の前記並びにその他の目的と新規な特徴は本明細書の記述及び添付図面から明らかになるであろう。
【課題を解決するための手段】
【００１０】
本願において開示される発明のうち代表的なものの概要を簡単に説明すれば下記の通りである。
【００１１】
即ち、本発明に係る携帯通信端末装置は、地上波ディジタルテレビ放送による放送信号を受信することが可能であって、データ処理部と表示部を有する。前記データ処理部は、受信した前記放送信号からＭＰＥＧ−２の第１のビデオデータストリームを取り出し、取り出した第１のビデオデータストリームに含まれるフレーム内符号化情報、順方向フレーム間予測符号化情報、及び双方向フレーム間予測符号化情報の内、少なくとも双方向フレーム間予測符号化情報を破棄しフレーム内符号化情報を残し、残った符号化情報に関する第２のビデオデータストリームを生成し、前記第２のビデオデータストリームの符号化情報のうち、前記表示部の表示解像度に応じた一部の情報のみを復号する。上記より、第１のビデオデータストリームに対して少なくとも双方向フレーム間予測符号化情報を破棄することにより、時間解像度の削減が可能になる。第２のビデオデータストリームの符号化情報に対して、前記表示部の表示解像度に応じた一部の情報のみを復号することにより空間解像度の削減が可能になる。前記符号化情報は例えばＩピクチャと称されるようなフレーム内符号化情報を構成する離散コサイン変換係数のような直交変換係数とされる。
【００１２】
ＭＰＥＧ−４のビデオデータストリームに対する復号機能を元々有している携帯通信端末装置に、地上波ディジタルテレビ放送による放送信号の受信機能を付加する場合、上記データ処理部は、受信した前記放送信号からＭＰＥＧ−２の第１のビデオデータストリームを取り出し、取り出した第１のビデオデータストリームに含まれるフレーム内符号化情報、順方向フレーム間予測符号化情報、及び双方向フレーム間予測符号化情報の内、少なくとも双方向フレーム間予測符号化情報を破棄しフレーム内符号化情報を残し、残った符号化情報に関する第２のビデオデータストリームを生成し、前記第２のビデオデータストリームの符号化情報のうち、前記表示部の表示解像度に応じた一部の情報をＭＰＥＧ−４に準拠する第３のビデオデータストリームに変換し、変換された第３のビデオデータストリームを復号するように構成すればよい。
【００１３】
本発明の具体的な形態として、前記データ処理部は、前記第２のビデオデータストリームに含まれるフレーム内符号化情報に対して、ブロック単位のＤＣ（直流）成分のみを、又はブロック単位のＤＣ成分と一部のＡＣ（交流）成分を、前記一部の情報とする。前記ＤＣ成分とは、当該ブロックの離散コサイン変換係数のような符号化情報の平均値、或いは当該ブロックの平均値と前のブロックの前記平均値との差分を意味する。前記ＡＣ成分とは直交変換された画素単位の周波数成分を意味する。残すべき一部のＡＣ成分は水平・垂直の各方向における空間周波数が比較的低い低周波成分とされる。直交変換では低周波成分に比較的大きな値が集中するという性質があるからである。
【００１４】
本発明の具体的な形態として、前記データ処理部は、前記第２のビデオデータストリームに含まれる順方向フレーム間予測符号化情報に対しては、その動きベクトルの大きさを前記表示解像度に対応させて変更する。
【００１５】
インタレース走査を考慮すると、前記第２のビデオデータストリームに含まれる符号化情報は、インタレース走査における奇数フレーム又は偶数フレームの何れか一方に対応する情報であればよい。
【００１６】
前記受信放送信号は例えばＭＰＥＧ−２のトランスポートストリームを構成する。プログラムストリームであることを妨げるものではない。前記ＭＰＥＧ−２のトランスポートストリームの場合、前記データ処理部は、当該ストリームを先ず第１のビデオデータストリームと音声データストリームに分割することになる。テレビ画像を記録するとき、前記データ処理部は前記第２のビデオデータストリームと前記音声データストリームとを多重化し、多重化された情報をトランスポートストリームとしてメモリに格納すればよい。
【００１７】
本発明に係る携帯通信端末装置は移動体通信を行なうための高周波部とベースバンド部を有するものであってよい。要するに、携帯電話機に、地上波ディジタルテレビ放送による放送信号の受信機能が付加されたものとなる。
【００１８】
上記本発明を別の観点で表現すれば、前記データ処理部は、受信した前記放送信号から第１のビデオデータストリームを取り出し、取り出した第１のビデオデータストリームに含まれるフレーム内符号化情報、順方向フレーム間予測符号化情報、及び双方向フレーム間予測符号化情報の内、少なくとも双方向フレーム間予測符号化情報を破棄しフレーム内符号化情報を残し、残った符号化情報に関する第２のビデオデータストリームを生成し、前記第２のビデオデータストリームの符号化情報のうち、前記表示部の表示解像度に応じた一部の情報を画像表示の対象とする。
【発明の効果】
【００１９】
本願において開示される発明のうち代表的なものによって得られる効果を簡単に説明すれば下記の通りである。
【００２０】
すなわち、本発明によれば、ＭＰＥＧ−２によるビデオデータストリームを時間方向の解像度と空間方向の解像度（表示解像度）を削減して復号するため、復号器の性能を下げること可能となる。結果としてモバイル端末等の消費電力が厳しい分野においてもＭＰＥＧ−２の復号が可能となる。したがって、地上波ディジタルテレビ放送を利用して伝送されてくるＭＰＥＧ−２で符号化されたビデオデータストリームを全て完全に復号することなく、安価で低電力に復号することができる。
【００２１】
また、モバイル端末で搭載されているＭＰＥＧ−４の復号器を利用することにより、ＭＰＥＧ−２の高価な復号器（ＭＰＥＧ−２デコーダ）を搭載することなく、ＭＰＥＧ−２のビデオデータに対する復号処理を行なうことができる。
【発明を実施するための最良の形態】
【００２２】
図１０には本発明に係る携帯通信端末装置の一例が示される。同図に示される携帯通信端末装置ＰＤＡは、例えば、地上波ディジタルテレビ放送の受信再生機能と共に携帯電話機のような移動体通信機能を備える。例えば携帯電話機に地上波ディジタルテレビ放送の受信再生機能が付加されている。
【００２３】
前記移動体通信機能は、アンテナ１を介して高周波を送信し、またアンテナ１から高周波信号を受信する高周波部３４と、送受信信号のベースバンド処理を行なうベースバンド部３５と、送信すべきデータの編集、受信データの表示、キー入力、及び通話音声処理などの制御を行なうアプリケーションプロセッサ部３６と、マイクロフォン３７と、スピーカ２３と、表示部３２とによって実現される。
【００２４】
前記地上波ディジタルテレビ放送の受信再生機能は、アンテナ１から地上波ディジタルテレビ放送の放送信号を取り込むチューナ２、取り込まれた放送信号に対してハフマン復号処理のようなエントロピー復号を行なって例えばＭＰＲＥＧ−２トランスポートストリームとする復調部３、ＭＰＥＧ−２トランスポートストリームを１チャンネル分のビデオデータストリームとオーディオデータストリームに分離する多重化分離部４、ビデオデータストリームを入力して画像再生のための画像復号などの処理を行なう画像データ処理部３０、オーディオデータストリームを入力して音声再生のための音声復号などの処理を行なう音声データ処理部３１、画像を表示する表示部３２、及び音声を出力するスピーカ２３によって実現される。
【００２５】
図１には地上波ディジタルテレビ放送の受信再生機能を実現する機能モジュールの一例が示される。アンテナ１から取り込まれた信号は、チューナー２及び復調部３でＭＰＥＧ−２トランスポートストリームとされ多重化分離部４に入力される。多重化分離部４は、前記トランスポートストリームを１チャンネル分のビデオデータストリームとオーディオデータストリームに分離する。ビデオデータストリームは、先行ビデオストリーム解析部５へ、また、オーディオデータストリームは復号処理部１５に供給される。先行ビデオストリーム解析部５では、ビデオデータストリームのスタートコードを検出し、さらに、ピクチャーコーディングタイプ符号を発見するように動作する。ピクチャーコーディングタイプはＢピクチャ、Ｉピクチャ及びＰピクチャとされる。ビデオデータストリームは、そのままビデオストリーム破棄部６に入力され、先行ビデオストリーム解析部５からの情報により、例えばＢピクチャに関する情報を破棄するように動作する。ビデオストリーム破棄部６から出力されたビデオストリームは、Ｂピクチャに関する情報符号が破棄され、復号処理部７に入力される。復号処理部７では、Ｉピクチャ及びＰピクチャに関する情報を復号し、復号した情報をＤＣＴ係数削減部８及びベクトル補間部１３に供給する。ＤＣＴ係数削減部８は、表示デバイス２４の解像度に応じて、削減するＤＣＴ係数を決定し、逆量子化部９に出力する。逆量子化部９は、削減されたＤＣＴ係数を、復号情報の量子化パラメータに従って逆量子化し、逆ＤＣＴ部１０に出力する。復号処理部７から出力された動きベクトル情報は、同じく表示デバイス２４の解像度に応じて、ベクトル補間部１３でベクトル補間され、動き補償部１４に出力される。動き補償部１４は、Ｐピクチャの場合に、補間されたベクトル情報に基づいて画像メモリ１２から参照画像を読出し、読み出された参照画像は逆ＤＣＴ部１０からの出力と加算器１１で加算され、画像メモリ１２に出力される。Ｉピクチャの場合には、動き検出部１４からの出力は０であり、逆ＤＣＴ部１０からの出力は、加算器１１を通じてそのまま画像メモリ１２に記憶される。画像メモリ１２に記憶された画像データは、表示制御部２０による表示タイミングで、表示デバイス２４に表示される。表示デバイス２４は例えば液晶ディスプレイである。
【００２６】
一方、多重化分離部４で分離されたオーディオデータストリームは、復号処理部１５で復号され、逆量子化部１６、スペクトル処理部１７、ＩＤＣＴ（Inverse Discrete Cosine Transform）部１８、サブバンド合成部１９を通じてスピーカー２３に出力される。オーディオ処理の回路部分は、例えばＭＰＥＧ−２  ＡＡＣ（Advanced Audio Coding）等の技術を用いて実現される。
【００２７】
また、ビデオストリーム破棄部６から出力されたビデオデータストリームは、再びオーディオデータストリームと多重化部・多重分離部２１で多重化され、ＭＰＥＧ−２のトランスポートストリームとしてメモリなどの記憶媒体２２に記憶することもできる。また、記憶媒体２２に記憶されたトランスポートストリームは、多重化部・多重分離部２１で多重分離され、ビデオデータストリームは復号処理部７へ、オーディオデータストリームは復号処理部１５に入力され、それらに対して前述の復号処理を施すことが可能にされる。
【００２８】
図２にはビデオストリーム破棄部６による廃棄処理の一例が示される。ビデオデータストリームの画像フレームはＩピクチャ、Ｐピクチャ、Ｂピクチャとされる。ビデオストリーム破棄部６はビデオデータストリームとして、ＩピクチャとＰピクチャに関する情報を出力し、Ｂピクチャに関する符号化データについては廃棄する。もちろん、ビデオストリーム破棄部６にて、Ｐピクチャに関する情報も破棄した場合には、Ｉピクチャに関する符号化データのみが出力されることは言うまでもない。Ｐピクチャはその情報だけから符号化された画面情報であり、フレーム間予測を用いずに生成される。ＰピクチャはＩピクチャ又はＰピクチャからの予測を行なうことによって生成される画面情報である。ＢピクチャはＩピクチャとＰピクチャの間に挿入され、後方（過去）の再生画像から予測する順方向フレーム間予測、前方（未来）から予測する逆方向フレーム間予測、又は前後両方の予測による内挿的フレーム間予測によって生成される。Ｂピクチャは次の予測に使われることがないので廃棄対象とする。Ｉ，Ｐピクチャに比べて廃棄しても画質の低下は僅かである。Ｉ、Ｐピクチャは次の予測に利用する画像であるが、廃棄による画質低下はＩピクチャに比べてＰピクチャの方が低いと予想されるので、Ｉピクチャの廃棄は行なわない。ビデオストリーム破棄部６による廃棄処理は時間解像度を低減させることになる。
【００２９】
図３には、符号化されているＩピクチャのデータ構造が例示される。Ｉピクチャの符号列内には、図３に示すように、ピクチャ層情報及びスライス層情報がある。スライス層情報内には、マクロブロック情報がある。マクロブロック情報内には、ブロック情報がある。一つのブロック情報は８×８の画素情報を有する。図３では一部簡単化してデータ構造を示しているが、その詳細は公知のＭＰＥＧ−２の規格書等にて参考することができる。
【００３０】
図４にはビデオストリーム破棄部６から出力されるＩピクチャに対して空間解像度を低減させる処理の具体例が示される。図３のブロック情報は、復号処理部７で８×８のＤＣＴ係数情報に復号される。８×８のＤＣＴ係数情報において、横軸には水平空間周波数を、縦軸には垂直空間周波数を示し、＃００はＤＣＴ係数の平均値としてのＤＣ（直流）成分、＃０１〜＃７７はＡＣ（交流）成分とされる。ＡＣ成分のＤＣＴ係数は、＃０１、＃１０、＃２０、＃１１、＃０２、＃０３、＃１２、＃２１、＃３０、＃４０、＃３１、＃２２、…の順番のような、斜めスキャン方向の順番に順次小さくなる。ＤＣＴ係数情報は、ＤＣＴ係数削減部８で、表示デバイス２４の解像度に応じて小さい値のＤＣＴ係数、即ち高周波側の成分が削減される。離散コサイン変換のような直交変換では低周波成分に比較的大きな値が集中するという性質があるからである。
【００３１】
図中の例は、ビデオストリームの水平１／２及び垂直１／２の表示デバイス２４を仮定した場合の例である。ＤＣＴ係数を削減せずにそのままの解像度で復号した場合には、図中の画像メモリ１２内の点線で囲まれたサイズの画像１００が復号される。ＤＣＴ係数を水平・垂直とも１／２に削減し、削減したＤＣＴ係数に基づき、逆ＤＣＴ部１０で４×４の逆ＤＣＴ演算を行うと、画素データとして４×４の画素データが出力される。４×４の画素データはここではＩピクチャに含まれるので、動き補償部１４からの出力は０であり、その画素データは加算器１１を通じて画像メモリ１２に供給される。画像メモリ１２内で生成される画像サイズは１０１のサイズになる。１００で示されるサイズは空間解像度を低下させなかった場合の当該Ｉピクチャの画像サイズを表す。
【００３２】
図５には符号化されているＰピクチャのデータ構造が例示される。Ｐピクチャの符号列内には、図中に示すように、ピクチャ層情報及びスライス層情報がある。スライス層情報内には、マクロブロック情報がある。マクロブロック情報内には、ブロック情報がある。ここでは、マクロブロック情報にはフレーム間予測に用いる動きベクトルを含んでいる。図５では一部簡単化してデータ構造を示しているが、その詳細は公知のＭＰＥＧ−２の規格書等にて参考することができる。
【００３３】
図６にはビデオストリーム破棄部６から出力されるＰピクチャに対して空間解像度を低減させる処理の具体例が示される。Ｐピクチャの場合には、マクロブロック毎に、動きベクトルが出力される。動きベクトル情報は、復号処理部７で復号されベクトル情報ＭＶ（Ｘ，Ｙ）とされる。ベクトル補間部１３は、表示デバイス２４の解像により、ベクトルの補間を実行する。図中の例では、水平１／２及び垂直１／２の表示デバイスを考慮してベクトルも、それぞれＸ成分及びＹ成分を１／２して補間ベクトルとすることを示している。補間ベクトルの情報に基づき、動き検出部１４は、画像メモリ２４内の１０１から画像データを読出し、読み出した画像データと図４で説明した画素データとを加算器１１で加算し、画像メモリ２４に画像２０１として出力する。画像メモリ２４内の点線で示した画像１００及び２００は、ビデオストリームをそのまま復号した場合の画像サイズを示したものである。
【００３４】
図７には廃棄後のビットストリームに対するＤＣＴ係数削減を行なったときの動作例が時系列で示される。削減されたビデオデータストリームから、表示画像解像度に応じて、ＤＣＴ係数が削減される。ここでは、図４の説明に整合させて、ＤＣＴ係数は１／４に削減されている。表示画像フレームは元の１／４のサイズになる。
【００３５】
図８にはインタレース走査を考慮したときの時間解像度と空間解像度の削減処理に関する動作例が時系列で示される。この場合、時間解像度を削減するのに、インタレース走査における奇数フレーム（トップフィールド）又は偶数フレーム（ボトムフィールド）の何れか一方に対応する情報に対してＩピクチャを残してＢピクチャ又はＰピクチャを廃棄し、奇数フレーム又は偶数フレームの他方に対しては全て廃棄する。例えば、図８では、Ｉピクチャのあるトップフィールド、Ｐピクチャのトップフィールドに関係する情報を、ビットストリーム破棄部６から通過させ、それ以外の情報を破棄する。この場合、表示デバイスが、復号画像サイズの１／４である場合には、フィールド落としをすることにより、垂直方向は、既に１／２になっているため、水平方向のみを１／２とするようにＤＣＴ係数の削減を実行すればよい。表示のタイミングは、図中の画像表示フレームの項目で示されるようなタイミングとなる。
【００３６】
図９には携帯電話をはじめとするモバイル端末のようにＭＰＥＧ−４が利用されている場合の通信携帯端末装置の例が示される。即ち、ＭＰＥＧ−４のビデオデータストリームを復号する手段が既に備わっている場合の構成についてその要部を説明する。多重化分離部４で分離されたビデオデータストリームは、前述で説明してきたように、先行ビデオストリーム解析部５、ビデオストリーム破棄部６、復号処理部７、ＤＣＴ係数削減部８及びベクトル補間部１３を通じて、削減ＤＣＴ係数及び補間動きベクトル情報を得る。ＭＰＥＧ−４ビットストリーム作成部４０は、復号処理部７で復号される情報の内、ＭＰＥＧ−４でも必要となる情報、例えば、画像サイズの情報等と、削減ＤＣＴ係数及び補間動きベクトルをＭＰＥＧ−４の符号に従って符号化し、ＭＰＥＧ−４準拠のビデオデータストリームを生成する。生成されたＭＰＥＧ−４準拠のビデオデータストリームは、モバイル端末に必要な機能を実現するのに既に備えられているＭＰＥＧ−４復号器４１により復号されて、表示制御部２０及び表示デバイス２４を介して表示される。
【００３７】
以上説明した携帯通信端末装置ＰＤＡによれば、ＭＰＥＧ−２によるビデオデータストリームを時間方向の解像度と空間方向の解像度（表示解像度）を削減して復号するため、復号処理の負担を減らすこと可能となる。結果としてモバイル端末等の消費電力が厳しい分野においてもＭＰＥＧ−２の復号が可能となる。したがって、地上波ディジタルテレビ放送を利用して伝送されてくるＭＰＥＧ−２で符号化されたビデオデータストリームを、ＭＰＥＧ−２の完全復号を行なうことなく、安価で低電力に復号することができる。
【００３８】
また、モバイル端末で搭載されているＭＰＥＧ−４の復号器を利用することにより、ＭＰＥＧ−２の高価な復号器（ＭＰＥＧ−２デコーダ）を搭載することなく、ＭＰＥＧ−２のビデオデータに対する復号処理を行なうことができる。
【００３９】
更に、時間方向の解像度と空間方向の解像度を削減したトランスポートストリームをメモリなどに記録可能にされるから、同じ画像を次回再生するときの処理負担を軽減することができる。
【００４０】
以上本発明者によってなされた発明を実施形態に基づいて具体的に説明したが、本発明はそれに限定されるものではなく、その要旨を逸脱しない範囲において種々変更可能であることは言うまでもない。例えば、ＤＣＴ係数の削減は表示サイズとの関係で全てのＡＣ成分が削減されＤＣ成分だけ残る場合もある。本発明は携帯電話機に限定されず、種々のモバイル端末に適用することができる。
【図面の簡単な説明】
【００４１】
【図１】地上波ディジタルテレビ放送の受信再生機能を実現するための構成を例示するブロック図である。
【図２】ビデオストリーム破棄部による廃棄処理の一例を示すタイミングチャートである。
【図３】Ｉピクチャのデータ構造を例示する説明図である。
【図４】ビデオストリーム破棄部から出力されるＩピクチャに対して空間解像度を低減させる処理の具体例を示すフローチャートである。
【図５】Ｐピクチャのデータ構造を例示する説明図である。
【図６】ビデオストリーム破棄部から出力されるＰピクチャに対して空間解像度を低減させる処理の具体例を示すフローチャートである。
【図７】廃棄後のビットストリームに対するＤＣＴ係数削減を行なったときの動作例を示すタイミングチャートである。
【図８】インタレース走査を考慮したときの時間解像度と空間解像度の削減処理に関する動作例を示すタイミングチャートである。
【図９】携帯電話をはじめとするモバイル端末のようにＭＰＥＧ−４が利用されている場合の通信携帯端末装置において地上波ディジタルテレビ放送の受信再生機能を実現するための要部の構成を例示するブロック図である。
【図１０】本発明に係る携帯通信端末装置を全体的に示すブロック図である。
【符号の説明】
【００４２】
１  アンテナ
２  チューナ
３  復調部
４  多重化分離部
５  先行ビデオストリーム解析部
６  ビデオストリーム廃棄部
７  復号処理部
８  ＤＣＴ係数削減部
９  逆量子化部
１０  逆ＤＣＴ部
１１  加算器
１２  画像メモリ
１３  ベクトル補完部
１４  動き補償部
２０  表示制御部
２１  多重化部・多重分離部
２２  蓄積媒体
２３  スピーカ
２４  表示デバイス
３０  画像データ処理部
３１  音声データ処理部
３２  表示部
３４  高周波部
３５  ベースバンド部
３６  アプリケーションプロセッサ部
４０  ＭＰＥＧ−４ビデオストリーム作成部
４１  ＭＰＥＧ−４復号器
【図１】
2005123990.tif 000003
【図２】
2005123990.tif 000004
【図３】
2005123990.tif 000005
【図４】
2005123990.tif 000006
【図５】
2005123990.tif 000007
【図６】
2005123990.tif 000008
【図７】
2005123990.tif 000009
【図８】
2005123990.tif 000010
【図９】
2005123990.tif 000011
【図１０】
2005123990.tif 000012